(57)【要約】【課題】本発明は、パーティーションパネルを、水平且つ安定的に立設するパーティーションパネルの水平立設方法と、パーティーションパネルの水平立設装置を提供する。【解決手段】本発明は、室内における傾斜した床面Ｐや湾曲した床面Ｐに下枠レール体１を配置し、下枠レール体１の長手方向に複数立設したボルト部材２のそれぞれに係止用ナット部材３を螺合させ、複数のボルト部材３にそれぞれ螺合している係止用ナット部材３のねじ込み位置が、互いに水平となるように係止用ナット部材３のねじ込み高さを予め調整しておき、パーティーションパネルＱの下縁面部に設けた貫挿取付孔４をボルト部材２に嵌め入れ、パーティーションパネルＱの下縁面部をボルト部材２の係止用ナット部材３に係止させることで、傾斜した床面Ｐや湾曲した床面Ｐに配置した下枠レール体１に対し、パーティーションパネルＱを水平に立設させるものである。【選択図】図１
2005188256.tif 000002
【特許請求の範囲】
【請求項１】
室内における傾斜した床面や湾曲した床面に下枠レール体を配置し、下枠レール体の長手方向に複数立設したボルト部材のそれぞれに係止用ナット部材を螺合させ、複数のボルト部材にそれぞれ螺合している係止用ナット部材のねじ込み位置が、互いに水平となるように係止用ナット部材のねじ込み高さを予め調整しておき、パーティーションパネルの下縁面部に設けた貫挿取付孔をボルト部材に嵌め入れ、パーティーションパネルの下縁面部をボルト部材の係止用ナット部材に係止させることで、傾斜した床面や湾曲した床面に配置した下枠レール体に対し、パーティーションパネルを水平に立設させることを特徴としたパーティーションパネルの水平立設方法。
【請求項２】
筒状に形成され、外周面の縦方向に基準目盛りを付した高さ調節部材の下端部を係止用ナット部材に嵌め入れ、高さ調節部材を回転させることで、複数のボルト部材にそれぞれ螺合している係止用ナット部材のねじ込み位置を互いに水平となるように調整する請求項１に記載のパーティーションパネルの水平立設方法。
【請求項３】
レーザーまたは赤外線等を水平に発する光学水準器を使用し、光学水準器が指示する水平光線に従い、複数のボルト部材にそれぞれ螺合している係止用ナット部材のねじ込み位置を互いに水平となるように調整する請求項１または２に記載のパーティーションパネルの水平立設方法。
【請求項４】
高さ調節部材を、複数のボルト部材に螺合している係止用ナット部材にそれぞれ嵌め入れた状態において、レーザーまたは赤外線等を水平に発する光学水準器を使用し、光学水準器が発する水平光線が、複数の高さ調節部材における同一の基準目盛りを指示するよう、高さ調節部材を回転させることで、複数のボルト部材にそれぞれ螺合している係止用ナット部材のねじ込み位置を互いに水平となるように調整する請求項２または３に記載のパーティーションパネルの水平立設方法。
【請求項５】
長手方向に複数立設したボルト部材を備え、室内における傾斜した床面や湾曲した床面に配置され、パーティーションパネルを立設させる下枠レール体と、下枠レール体のボルト部材にそれぞれ螺合し、パーティーションパネルの下縁面部を係止する複数の係止用ナット部材を備えていることを特徴とするパーティーションパネルの水平立設装置。
【請求項６】
筒状に形成され、下端部に係止用ナット部材を嵌め入れる嵌入部を設け、外周面の縦方向に基準目盛りを付した高さ調節部材を備えた請求項５に記載のパーティーションパネルの水平立設装置。
【請求項７】
筒状に形成され、下端部に係止用ナット部材を嵌め入れる嵌入部を設け、外周面の縦方向に基準目盛りを付した高さ調節部材を備え、高さ調節部材の嵌入部を係止用ナット部材に嵌め入れ、高さ調節部材を回転させることで、複数のボルト部材にそれぞれ螺合している係止用ナット部材のねじ込み位置を互いに水平となるように調整する請求項６に記載のパーティーションパネルの水平立設装置。
【請求項８】
レーザーまたは赤外線等を水平に発する光学水準器を使用し、光学水準器が指示する水平光線に従い、複数のボルト部材にそれぞれ螺合している係止用ナット部材のねじ込み位置を互いに水平となるように調整する請求項５乃至７のいずれかに記載のパーティーションパネルの水平立設装置。
【請求項９】
高さ調節部材を、複数のボルト部材に螺合している係止用ナット部材にそれぞれ嵌め入れた状態において、レーザーまたは赤外線等を水平に発する光学水準器を使用し、光学水準器が発する水平光線が、複数の高さ調節部材における同一の基準目盛りを指示するよう、高さ調節部材を回転させることで、複数のボルト部材にそれぞれ螺合している係止用ナット部材のねじ込み位置を互いに水平となるように調整する請求項６乃至８のいずれかに記載のパーティーションパネルの水平立設装置。
【発明の詳細な説明】
【技術分野】
【０００１】
本発明は、室内における傾斜した床面や湾曲した床面に配置された下枠レール体に対し、パーティーションパネルを、水平且つ安定的に立設するパーティーションパネルの水平立設方法と、パーティーションパネルの水平立設装置に関するものである。
【背景技術】
【０００２】
従来において、パーティーションパネルＱを室内の床面Ｐに立設させる場合には、例えば、図４に示すように、下枠レール体１００を予め区画状に配置し、所定の間隔毎に連結される支持用ブラケット部材１０１を介して、支柱１０２を取り付けた後、支柱１０２相互間の下枠レール体１００の内側にパーティーションパネルＱの下縁部分を装着していた。
【特許文献１】特になし
【発明の開示】
【発明が解決しようとする課題】
【０００３】
しかしながら、従来の手法においては、パーティーションパネルＱの設置に際し、室内の床面Ｐが傾斜している場合（図４の傾斜角θ）には、床面Ｐに配置された下枠レール体１００自体が傾斜してしまうこととなり、このような状態の下枠レール体１００にパーティーションパネルＱの下縁部分を装着したときには、パーティーションパネルＱを水平に立設させることが困難であった。
【０００４】
また、床面Ｐが湾曲している場合は、隣接するパーティーションパネルＱの接合部分、或るいは、支柱１０２とパーティーションパネルＱとの接合部分に、隙間が生じてしまう弊害も生じていた。
【０００５】
さらに、下枠レール体１００の下面に高さ調節用のアジャスターを配置し、このアジャスターの高さを調節することで、傾斜している床面Ｐに対して下枠レール体１００を水平に配置する手法もあるが、アジャスターの微妙な高さ調節が非常に難しく、その作業に長時間を要していた。また、アジャスターの微妙な高さ調節には、熟練した技能が必要であり、この様な技能を持ち合わせていない者にとっては、下枠レール体１００の水平状態を確保することが、現実的に行なえていないのが実情であった。
【０００６】
そこで、本発明は叙上のような従来存した諸事情に鑑み創出されたもので、パーティーションパネルＱの設置に際し、室内の床面Ｐが傾斜していたり、湾曲している場合であっても、隣接するパーティーションパネルＱの接合部分、或るいは、支柱１０２とパーティーションパネルＱとの接合部分に隙間を生じさせることなく、水平且つ安定的にパーティーションパネルＱを立設でき、しかも、パーティーションパネルＱの設置作業を極めて簡略化し、誰もが簡単にパーティーションパネルＱを水平に設置できるパーティーションパネルＱの水平立設方法と、パーティーションパネルＱの水平立設装置を提供することを目的とする。
【課題を解決するための手段】
【０００７】
本発明に係るパーティーションパネルの水平立設方法においては、室内における傾斜した床面や湾曲した床面に下枠レール体を配置し、下枠レール体の長手方向に複数立設したボルト部材のそれぞれに係止用ナット部材を螺合させ、複数のボルト部材にそれぞれ螺合している係止用ナット部材のねじ込み位置が、互いに水平となるように係止用ナット部材のねじ込み高さを予め調整しておき、パーティーションパネルの下縁面部に設けた貫挿取付孔をボルト部材に嵌め入れ、パーティーションパネルの下縁面部をボルト部材の係止用ナット部材に係止させることで、傾斜した床面や湾曲した床面に配置した下枠レール体に対し、パーティーションパネルを水平に立設させることで、上述した課題を解決した。
【０００８】
また、筒状に形成され、外周面の縦方向に基準目盛りを付した高さ調節部材の下端部を係止用ナット部材に嵌め入れ、高さ調節部材を回転させることで、複数のボルト部材にそれぞれ螺合している係止用ナット部材のねじ込み位置を互いに水平となるように調整することで、同じく上述した課題を解決した。
【０００９】
さらに、レーザーまたは赤外線等を水平に発する光学水準器を使用し、光学水準器が指示する水平光線に従い、複数のボルト部材にそれぞれ螺合している係止用ナット部材のねじ込み位置を互いに水平となるように調整することで、同じく上述した課題を解決した。
【００１０】
また、高さ調節部材を、複数のボルト部材に螺合している係止用ナット部材にそれぞれ嵌め入れた状態において、レーザーまたは赤外線等を水平に発する光学水準器を使用し、光学水準器が発する水平光線が、複数の高さ調節部材における同一の基準目盛りを指示するよう、高さ調節部材を回転させることで、複数のボルト部材にそれぞれ螺合している係止用ナット部材のねじ込み位置を互いに水平となるように調整することで、同じく上述した課題を解決した。
【００１１】
一方、本発明に係るパーティーションパネルの水平立設装置においては、長手方向に複数立設したボルト部材を備え、室内における傾斜した床面や湾曲した床面に配置され、パーティーションパネルを立設させる下枠レール体と、下枠レール体のボルト部材にそれぞれ螺合し、パーティーションパネルの下縁面部を係止する複数の係止用ナット部材を備えていることで、同じく上述した課題を解決した。
【００１２】
また、筒状に形成され、下端部に係止用ナット部材を嵌め入れる嵌入部を設け、外周面の縦方向に基準目盛りを付した高さ調節部材を備えたことで、同じく上述した課題を解決した。
【００１３】
さらに、筒状に形成され、下端部に係止用ナット部材を嵌め入れる嵌入部を設け、外周面の縦方向に基準目盛りを付した高さ調節部材を備え、高さ調節部材の嵌入部を係止用ナット部材に嵌め入れ、高さ調節部材を回転させることで、複数のボルト部材にそれぞれ螺合している係止用ナット部材のねじ込み位置を互いに水平となるように調整することで、同じく上述した課題を解決した。
【００１４】
また、レーザーまたは赤外線等を水平に発する光学水準器を使用し、光学水準器が指示する水平光線に従い、複数のボルト部材にそれぞれ螺合している係止用ナット部材のねじ込み位置を互いに水平となるように調整することで、同じく上述した課題を解決した。
【００１５】
加えて、高さ調節部材を、複数のボルト部材に螺合している係止用ナット部材にそれぞれ嵌め入れた状態において、レーザーまたは赤外線等を水平に発する光学水準器を使用し、光学水準器が発する水平光線が、複数の高さ調節部材における同一の基準目盛りを指示するよう、高さ調節部材を回転させることで、複数のボルト部材にそれぞれ螺合している係止用ナット部材のねじ込み位置を互いに水平となるように調整することで、同じく上述した課題を解決した。
【発明の効果】
【００１６】
以上のように構成された本発明に係るパーティーションパネルＱの水平立設方法と、パーティーションパネルＱの水平立設装置において、光学水準器Ｌが指示する水平光線が照射されているそれぞれの高さ調節部材６の基準目盛り７の数値が同じになるように高さ調節部材６をくるくると回転させることで、複数のボルト部材２にそれぞれ螺合している係止用ナット部材３のねじ込み位置を、互いに水平となるように簡単に調整できる。
【００１７】
その結果、パーティーションパネルＱの下縁面部に設けた貫挿取付孔４をボルト部材２に嵌め入れ、パーティーションパネルＱの下縁面部をボルト部材２の係止用ナット部材３に係止させることで、傾斜した床面Ｐや湾曲した床面Ｐに配置した下枠レール体１に対し、パーティーションパネルＱを水平に立設させることができる。
【００１８】
また、隣接するパーティーションパネルＱの接合部分、或るいは、支柱９とパーティーションパネルＱとの接合部分に隙間が生じることもなく、水平且つ安定的にパーティーションパネルＱを立設できる。
【００１９】
しかも、光学水準器Ｌが照射する水平光線が、複数の高さ調節部材６における同一の基準目盛り７を指示するように、高さ調節部材６をくるくると回転させるという極めて単純な作業により、傾斜した床面Ｐや湾曲した床面Ｐに配置した下枠レール体１に対し、誰もが簡単にパーティーションパネルＱを水平に立設でき、その作業時間も大幅に短縮することができる。
【００２０】
すなわち、本発明によれば、パーティーションパネルＱの設置に際し、室内の床面Ｐが傾斜していたり、湾曲している場合であっても、隣接するパーティーションパネルＱの接合部分、或るいは、支柱９とパーティーションパネルＱとの接合部分に隙間を生じさせることなく、水平且つ安定的にパーティーションパネルＱを立設でき、しかも、パーティーションパネルＱの設置作業を極めて簡略化し、誰もが簡単にパーティーションパネルＱを水平に設置できるのである。
【００２１】
尚、上記の課題を解決するための手段、発明の効果の項それぞれにおいて付記した符号は、図面中に記載した構成各部を示す部分との参照を容易にするために付したもので、図面中の符号により示された構造・形状に本発明が限定されるものではない。
【発明を実施するための最良の形態】
【００２２】
以下に、本発明を実施する最良の形態を、図面を参照して説明する。本発明は、図１・図２に示すように、室内における傾斜した床面Ｐや湾曲した床面Ｐに下枠レール体１を配置し、下枠レール体１の長手方向に複数立設したボルト部材２のそれぞれに係止用ナット部材３を螺合させ、複数のボルト部材３にそれぞれ螺合している係止用ナット部材３のねじ込み位置が、互いに水平となるように係止用ナット部材３のねじ込み高さを予め調整しておき、パーティーションパネルＱの下縁面部に設けた貫挿取付孔４をボルト部材２に嵌め入れ、パーティーションパネルＱの下縁面部をボルト部材２の係止用ナット部材３に係止させることで、傾斜した床面Ｐや湾曲した床面Ｐに配置した下枠レール体１に対し、パーティーションパネルＱを水平に立設できるものである。
【００２３】
室内における傾斜した床面Ｐや湾曲した床面Ｐに配置される下枠レース体１は、上向きのコ字枠状で、所定の長さに形成されている。また、図２・図３に示すように、下枠レール体１の長手方向における内底部には、略等間隔にボルト部材２が溶接等により立設状に固定されている。これらの複数のボルト部材２のそれぞれには、図３に示すように、六角ナット等の係止用ナット部材３が螺合している。さらに、図２に示すように、下枠レール体１は、パーティーションパネルＱ同士の接合部分である角部、若しくは、中間部を形成すべく、支柱９を取り付けるための支持用ブラケット部材５を介して連結されている。
【００２４】
また、複数のボルト部材２にそれぞれ螺合している係止用ナット部材３のねじ込み位置を互いに水平となるように調整する高さ調節部材６は、図３に示すように、筒状に形成され、下端部に係止用ナット部材３を嵌め入れる嵌入部を設け、外周面の縦方向に基準目盛り７を付している。基準目盛り７としては、例えば、最上段の１目盛りから最下段の１０目盛りまでがある。
【００２５】
そして、図１に示すように、全ての高さ調節部材部材６を視覗できる位置に光学水準器Ｌを設置し、レーザーまたは赤外線等の水平光線を高さ調節部材６の基準目盛り７に向けて照射するのである。この光学水準器Ｌは、床面Ｐに対して水平状態に設置されるものとする。
【００２６】
高さ調節部材６の下端部には、図３に示すように、嵌入部として、係止用ナット部材３を咬持させるために係止用ナット部材３と同形である六角形状の凹部８が設けられている。この高さ調節部材６をボルト部材２に挿入し、高さ調節部材６の凹部８を係止用ナット部材３に嵌め入れ、係止用ナット部材３を咬持させながら高さ調節部材６をくるくると回転させることで、高さ調節部材６が係止用ナット部材３と一体となってボルト部材２に沿って上下に移動するのである。
【００２７】
一方、パーティーションパネルＱの下縁面部には、図２に示すように、貫挿取付孔４が穿設されている。この貫挿取付孔４は、ボルト部材２よりも大径で、係止用ナット部材３よりも小径に形成されている。そして、貫挿取付孔４を下枠レール対１のボルト部材２に嵌め入れ、パーティーションパネルＱの下縁面部をボルト部材２の係止用ナット部材３に係止させることで、傾斜した床面Ｐや湾曲した床面Ｐに配置した下枠レール体１に対し、パーティーションパネルＱを水平に立設させるのである。
【００２８】
以上のように構成された本発明の最良の形態について、使用・組立の一例を以下に説明する。
【００２９】
まず、室内における傾斜した床面Ｐや湾曲した床面Ｐに下枠レール体１を区画状に配置し、下枠レール体１の内底部における長手方向に複数立設したボルト部材２のそれぞれに係止用ナット部材３を螺合させる。
【００３０】
次に、図３に示すように、高さ調節部材６を各ボルト部材２に挿入し、高さ調節部材６の凹部８に係止用ナット部材３を嵌め入れる。また、下枠レール体１に配した全ての高さ調節部材６を視覗できる位置に光学水準器Ｌを水平状態に設置し、レーザーまたは赤外線等の水平光線を、それぞれの高さ調節部材６の基準目盛り７に向けて照射する。
【００３１】
そして、図１に示すように、この光学水準器Ｌが指示する水平光線に従い、水平光線が照射されているそれぞれの高さ調節部材６の基準目盛り７の数値、例えば、水平光線が全ての高さ調節部材６の目盛りである「５」を照射するようにそれぞれの高さ調節部材６をくるくると回転させ、複数のボルト部材２に螺合している係止用ナット部材３のねじ込み位置が、互いに水平となるように予め調整しておく。このとき、床面Ｐの傾斜角θに対応して、右方のボルト部材２に螺合している係止用ナット部材３は、ボルト部材２に対して、比較的低い位置にある。また、中間のボルト部材２に螺合している係止用ナット部材３は、ボルト部材２に対して、若干高い位置にある。さらに、左方のボルト部材２に螺合している係止用ナット部材３は、ボルト部材２に対して、高い位置にある。
【００３２】
尚、水平光線に照射される目盛り位置の選択は、予め係止用ナット部材３をボルト部材２の最下端位置までねじ込んで、傾斜している床面Ｐに配置した下枠レール体１における最も高い位置に相当する高さ調節部材６の任意の目盛り位置を基準にすることで、他の高さ調節部材６の全てを上方へ移動させれば（それぞれの移動量は異なる）、複数の係止用ナット部材３の水平状態を容易に設定することができる。
【００３３】
また、床面Ｐの湾曲形状によっては、ボルト部材２に螺合している係止用ナット部材３の全ての位置が異なる場合も、勿論存在する。
【００３４】
この様にして、複数の係止用ナット部材３の水平状態を設定してから、各ボルト部材２から高さ調節部材６を取り外し、図２に示すように、パーティーションパネルＱの下縁面部を下枠レール体１に嵌め込み、パーティーションパネルＱの下縁面部に設けた貫挿取付孔４をボルト部材２に挿入し、パーティーションパネルＱにおける貫挿取付孔４の開口縁部を、下枠レール体１の係止用ナット部材３に係止させる。
【００３５】
こうすることで、隣接するパーティーションパネルＱの接合部分、或るいは、支柱９とパーティーションパネルＱとの接合部分に隙間を生じさせることなく、傾斜した床面Ｐや湾曲した床面Ｐに配置した下枠レール体１に対し、パーティーションパネルＱを水平且つ安定的に立設できるのである。
【産業上の利用可能性】
【００３６】
本発明は、パーティーションパネルＱの設置に際し、室内の床面Ｐが傾斜していたり、湾曲している場合であっても、隣接するパーティーションパネルＱの接合部分、或るいは、支柱９とパーティーションパネルＱとの接合部分に隙間を生じさせることなく、水平且つ安定的にパーティーションパネルＱを立設でき、しかも、パーティーションパネルＱの設置作業を極めて簡略化し、誰もが簡単にパーティーションパネルＱを水平に設置できるパーティーションパネルＱの水平立設方法と、パーティーションパネルＱの水平立設装置を提供するものである。
【図面の簡単な説明】
【００３７】
【図１】高さ調節部材を、複数のボルト部材に螺合している係止用ナット部材にそれぞれ嵌め入れた状態において、光学水準器が発する水平光線が、複数の高さ調節部材における同一の基準目盛りである「５」を指示するよう、高さ調節部材を回転させることで、複数のボルト部材にそれぞれ螺合している係止用ナット部材のねじ込み位置を互いに水平となるように調整する状態を示した概略側断面図である。
【図２】室内における傾斜した床面に下枠レール体を配置し、下枠レール体の複数のボルト部材にそれぞれ螺合している係止用ナット部材のねじ込み位置が、互いに水平となるように係止用ナット部材のねじ込み高さを予め調整し、パーティーションパネルの下縁面部をボルト部材の係止用ナット部材に係止させることで、下枠レール体に対し、パーティーションパネルを水平に立設した状態を示した一部拡大の概略側断面図である。
【図３】下枠レール体のボルト部材に螺合している係止用ナット部材に、高さ調節部材を装着する状態を示した分解斜視図である。
【図４】従来におけるパーティーションパネルの立設手法を示した概略側断面図である。
【符号の説明】
【００３８】
Ｐ…床面
Ｑ…パーティーションパネル
Ｌ…光学水準器
１…下枠レール体
２…ボルト部材
３…係止用ナット部材
４…貫挿取付孔
５…支持用ブラケット部材
６…高さ調節部材
７…基準目盛り
８…凹部
９…支柱
１００…下枠レール体
１０１…支持用ブラケット部材
１０２…支柱
【図１】
2005188256.tif 000003
【図２】
2005188256.tif 000004
【図３】
2005188256.tif 000005
【図４】
2005188256.tif 000006